(57)【特許請求の範囲】
【請求項１】
送信原稿の画データを記憶する画像記憶手段と、画データを記録紙に記録する記録手段と、時刻指定送信の通信予約又は現在実行中の通信を表示する表示手段と、通信予約又は現在実行中の通信を選択する選択手段と、送信原稿の追加指示を行う原稿追加指示手段と、表示手段に表示中の通信予約又は現在実行中の通信が選択手段で選択された後に原稿追加指示手段が操作された場合は、選択された通信予約又は現在実行中の通信における送信原稿の画データに対して送信原稿の画データを追加する第１の制御手段とを備えた通信端末装置であって、送信原稿を追加する場合に追加する頁を入力する第１の入力手段をさらに備え、第１の制御手段は、選択された通信予約又は現在実行中の通信における送信原稿の画データに対して第１の入力手段から入力された追加する頁に送信原稿の画データを追加する通信端末装置。
【請求項２】
通信予約又は現在実行中の通信における送信原稿の記録指示を行う記録指示手段と、表示手段に表示中の通信予約又は現在実行中の通信が選択手段で選択された後に記録指示手段が操作された場合は、選択された通信予約又は現在実行中の通信における送信原稿の画データを画像記憶手段から読み出して記録手段で記録紙に記録させる第２の制御手段とをさらに備えた請求項１に記載の通信端末装置。
【請求項３】
通信相手先を追加指示する相手先追加指示手段と、送信相手先を入力する第２の入力手段と、表示手段に表示中の通信予約又は現在実行中の通信が選択手段で選択された後に相手先追加指示手段が操作された場合は、選択された通信予約又は現在実行中の通信における送信原稿の画データに対して第２の入力手段から入力された送信相手先を追加する第３の制御手段とをさらに備えた請求項１又は請求項２に記載の通信端末装置。
【発明の詳細な説明】
【０００１】
【発明の属する技術分野】
本発明は、通信端末装置に関し、より詳しくは時刻指定送信の通信予約又は現在実行中の通信を確認表示させた状態で、送信原稿のプリントアウト、送信原稿の追加、又は送信相手先の追加を柔軟に行うことに特徴を有する通信端末装置に関するものである。
【０００２】
【従来の技術】
従来より、ＦＡＸ送信においては、時刻を指定してＦＡＸ送信する、いわゆる時刻指定送信がある。この時刻指定送信を行った場合には、通信予約した内容を表示部に表示させて、相手先や読み取った原稿枚数等が正しいか否かを確認していた。また、表示状態から通信予約の内容をプリントアウトして、相手先等の確認していた。一方、現在実行中の通信についても同様に表示部に表示させて、相手先や読み取った原稿枚数等が正しいか否かを確認していた。
【０００３】
【発明が解決しようとする課題】
しかしながら、このように時刻指定送信の予約を行った後や現在実行中の通信の送信原稿をプリントアウト（コピー）するためには、再度送信原稿を読み取らせて、送信原稿を記録紙にプリントアウトしていた。また、送信原稿を追加したい場合には、すべての原稿を再度読み取らせなければならなかった。さらに、送信相手先を追加したい場合にも、再度送信原稿を読み取らせて、送信相手先を追加しなければならなかった。従って、送信原稿の画データが画像メモリに記憶されているにも拘わらず、一旦記憶された送信原稿の画データが有効に活用されていなかった。
【０００４】
本発明は、このような問題点に着目してなされたものであって、その目的は、一旦記憶された送信原稿の画データを有効に活用することが可能な通信端末装置を提供することにある。
【０００６】
【課題を解決するための手段】
上記の目的を達成するために、請求項１に記載の発明では、送信原稿の画データを記憶する画像記憶手段と、画データを記録紙に記録する記録手段と、時刻指定送信の通信予約又は現在実行中の通信を表示する表示手段と、通信予約又は現在実行中の通信を選択する選択手段と、送信原稿の追加指示を行う原稿追加指示手段と、表示手段に表示中の通信予約又は現在実行中の通信が選択手段で選択された後に原稿追加指示手段が操作された場合は、選択された通信予約又は現在実行中の通信における送信原稿の画データに対して送信原稿の画データを追加する第１の制御手段とを備えた通信端末装置であって、送信原稿を追加する場合に追加する頁を入力する第１の入力手段をさらに備え、第１の制御手段は、選択された通信予約又は現在実行中の通信における送信原稿の画データに対して第１の入力手段から入力された追加する頁に送信原稿の画データを追加する。
【０００７】
請求項２に記載の発明では、通信予約又は現在実行中の通信における送信原稿の記録指示を行う記録指示手段と、表示手段に表示中の通信予約又は現在実行中の通信が選択手段で選択された後に記録指示手段が操作された場合は、選択された通信予約又は現在実行中の通信における送信原稿の画データを画像記憶手段から読み出して記録手段で記録紙に記録させる第２の制御手段とをさらに備えた。
請求項３に記載の発明では、通信相手先を追加指示する相手先追加指示手段と、送信相手先を入力する第２の入力手段と、表示手段に表示中の通信予約又は現在実行中の通信が選択手段で選択された後に相手先追加指示手段が操作された場合は、選択された通信予約又は現在実行中の通信における送信原稿の画データに対して入力手段から入力された送信相手先を追加する第３の制御手段とをさらに備えた。
【０００８】
【発明の実施の形態】
以下に、本発明に係る通信端末装置を複写機能付きファクシミリ装置に具体化した一実施形態について図面を用いて説明する。
【０００９】
図１に示すように、複写機能付きファクシミリ装置１は、ＭＰＵ１０、ＲＯＭ２０、ＲＡＭ３０、読取部４０、記録部５０、操作部６０、表示部７０、画像メモリ８０、コーデック９０、モデム１００、及びＮＣＵ１１０から構成されるとともに、各部１０〜１１０がバス１２０を介してそれぞれ接続されている。
【００１０】
ＭＰＵ１０は、複写機能付きファクシミリ装置１を構成する各部を制御する。ＲＯＭ２０は、複写機能付きファクシミリ装置１を制御するためのプログラムを記憶する。ＲＡＭ３０は、複写機能付きファクシミリ装置１に関する各種情報を記憶する。
【００１１】
読取部４０は、原稿上の画像データを読み取って、白黒２値のイメージデータを出力する。
記録部５０は、電子写真方式のプリンタよりなり、受信画データやコピー動作において読取部４０にて読み取られた原稿の画データを記録紙上に記録する。
【００１２】
図１及び図２に示すように、操作部６０は、複写機能付きファクシミリ装置１を動作させるための各種のキーを備えている。ＦＡＸ／コピーキー６１は、ＦＡＸモード又はコピーモードに設定するためのものである。短縮キー６２は、短縮番号の登録又は短縮番号から発信するためのものである。ワンタッチキー６３は、予め登録したＦＡＸ番号をワンタッチで指定するためのものである。テンキー（＊，＃キーを含む）６４は、電話番号又はコピー部数等を入力するためのものである。スタートキー６５は、原稿の読み取り動作を開始させるためのものである。上下左右方向に操作可能な矢印キー６６（６６ａ〜６６ｄ）は、表示部７０に表示された項目を選択するものである。そして、この矢印キー６６の操作に基づいて、表示部７０に表示された項目が選択された場合は、その選択された項目が反転表示される。ストップキー６７は、複写機能付きファクシミリ装置１における各種モードの動作を停止させるためのものである。
【００１３】
ソフトキー６８（６８ａ〜６８ｃ）は、表示部７０の下部に表示された項目を選択するためのものである。具体的には、「原稿確認」の項目に対応するソフトキー６８ａは、画像メモリ８０に記憶された送信原稿の画データを記録部５０で記録紙にプリントアウトさせるためのものである。また、「原稿追加」の項目に対応するソフトキー６８ｂは、画像メモリ８０に記憶された送信原稿の画データに対して送信原稿の画データを追加するためのものである。さらに、「相手先追加」の項目に対応するソフトキー６８ｃは、画像メモリ８０に記憶された送信原稿の画データを送信する相手先を追加するためのものである。
【００１４】
ＬＣＤ等よりなる表示部７０は、複写機能付きファクシミリ装置１の動作状態等の各種情報の表示を行う。また、表示部７０は、所定のブザー音を鳴動するスピーカ７１を備えている。
【００１５】
図１に示すように、画像メモリ８０は、受信画データや読取部４０で読み取られた画データを一時的に記憶する。コーデック９０は、読取部４０にて読み取られた画データを送信のためにＭＨ，ＭＲ，ＭＭＲ，ＪＢＩＧ方式等により符号化（エンコード）する。また、コーデック９０は、受信画データを復号（デコード）する。
【００１６】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００１７】
次に、複写機能付きファクシミリ装置１において、原稿追加に対応するソフトキー６８ｂの操作に基づいて、送信原稿が追加されたときの動作処理について、図３を用いて説明する。
【００１８】
図３に示すように、送信原稿コマンドファイルは、「Ｎｏ」、「コマンド」、「チェーンステータス」、「画像メモリの先頭アドレス」の項目から構成されている。そして、例えば図２に示す通信予約確認において、矢印キー６６の操作に基づいて、「Ｎｏ．２」の通信予約が選択されると、その「Ｎｏ．２」の通信予約のすべての項目が反転表示される。そして、追加する送信原稿が読取部４０にセットされた後、スタートキー６５が操作されると、その追加原稿が読取部４０で読み取られ、読み取られた追加原稿の画データがコーデック９０で符号化されて、画像メモリ８０に記憶される。
【００１９】
このように「Ｎｏ．２」の送信予約の相手先に送信する原稿が追加された場合には、図３に示す送信原稿コマンドファイルにおいて、「Ｎｏ．４」の通信予約に新たなコマンド「Ｇ４」と、追加された送信原稿の先頭アドレスを示す「Ａｄｒ２０」とが記憶される。また、図３に示す送信原稿コマンドファイルにおいて、「Ｎｏ．２」の通信予約における「チェーンステータス」の項目には、追加した送信原稿を示す「Ｎｏ．４」の通信予約が記憶される。その結果、送信原稿コマンドファイルの「Ｎｏ．２」の通信予約と、「Ｎｏ．４」の通信予約とが関連付けられる。換言すれば、「Ｎｏ．２」の通信予約における「チェーンステータス」の項目に「Ｎｏ．４」の通信予約が記憶されることにより、コマンド「Ｇ２」の実行後に、コマンド「Ｇ４」が実行される。従って、画像メモリ８０の先頭アドレス「Ａｄｒ１８」と「Ａｄｒ２０」とで示された元々の送信原稿の画データと新たに追加された送信原稿の画データとが、同一の送信相手先に送信される。
【００２０】
次に、複写機能付きファクシミリ装置１において、相手先追加に対応するソフトキー６８ｃの操作に基づいて、送信相手先が追加されたときの動作処理について、図４を用いて説明する。
【００２１】
図４に示すように、送信相手先コマンドファイルは、「Ｎｏ」、「コマンド」、「画像メモリの先頭アドレス」の項目から構成されている。そして、例えば図２に示す通信予約確認において、矢印キー６６の操作に基づいて、「Ｎｏ．１」の通信予約が選択されると、その「Ｎｏ．１」の通信予約のすべての項目が反転表示される。そして、短縮キー６２、ワンタッチキー６３又はテンキー６４から追加する送信相手先が入力されると、「Ｎｏ．１」の通信予約で示す送信原稿の画データに対して送信相手先が追加される。
【００２２】
具体的には、図４に示す送信相手先コマンドファイルにおいて、「Ｎｏ．４」の通信予約に新たなコマンド「Ｐ４」、つまり追加された送信相手先を含む新たなコマンド「Ｐ４」と、追加された送信相手先への送信原稿の先頭アドレスを示す「Ａｄｒ１７」とが記憶される。換言すれば、送信原稿の画データに対して送信相手先が追加される。すなわち、送信相手先が追加されても、「Ｎ０．１」の通信予約で示す送信原稿の先頭アドレスと同一の先頭アドレス「Ａｄｒ１７」が送信相手先コマンドファイルに記憶される。このため、送信相手先が追加されても、画像メモリ８０に記憶する画データが増加することはない。従って、画像メモリ８０を有効に使用することができる。
【００２３】
次に、複写機能付きファクシミリ装置１において、原稿確認に対応するソフトキー６８ａの操作に基づいて、原稿確認されたときの動作処理について、図２及び図３を用いて説明する。
【００２４】
図２に示す通信予約確認において、矢印キー６６の操作に基づいて、「Ｎｏ．２」の通信予約が選択された後、原稿確認を行うソフトキー６８ａが操作されると、「Ｎｏ．２」の通信予約に関連するすべての画データが記録部５０で記録紙にプリントアウトされる。具体的には、図３に示す送信原稿コマンドファイルにおいて、「Ｎｏ．２」の通信予約における「画像メモリの先頭アドレス」の項目で示された先頭アドレス「Ａｄｒ１８」に基づいて、「Ｎｏ．２」の通信予約における送信原稿の画データが画像メモリ８０から順次読み出されて、記録部５０で記録紙にプリントアウトされる。続いて、「Ｎｏ．２」の通信予約における「チェーンステータス」の項目で示された「Ｎｏ．４」の通信予約に基づいて、「Ｎｏ．４」の通信予約における送信原稿の画データがプリントアウトされる。具体的には、「Ｎｏ．４」の通信予約における「画像メモリの先頭アドレス」の項目で示された先頭アドレス「Ａｄｒ２０」に基づいて、追加された送信原稿の画データが、画像メモリ８０から順次読み出されて、記録部５０で記録紙にプリントアウトされる。
【００２５】
一方、図２に示す通信予約確認において、矢印キー６６の操作に基づいて、「Ｎｏ．１」の通信予約が選択された後、原稿確認を行うソフトキー６８ａが操作されると、「Ｎｏ．１」の通信予約に関連するすべての画データが記録部５０で記録紙にプリントアウトされる。具体的には、図３に示す送信原稿コマンドファイルにおいて、「Ｎｏ．１」の通信予約における「画像メモリの先頭アドレス」の項目で示された先頭アドレス「Ａｄｒ１７」に基づいて、「Ｎｏ．１」の通信予約における送信原稿の画データが、画像メモリ８０から順次読み出されて、記録部５０で記録紙にプリントアウトされる。
【００２６】
このように原稿確認に対応するソフトキー６８ａが操作された場合には、送信原稿の画データが画像メモリ８０から読み出されて、記録部５０で記録紙にプリントアウトされる。このため、送信原稿をプリントアウトするために、再度送信原稿を読取部４０にセットして、コピーをする必要はない。従って、既に画像メモリ８０に記憶された送信原稿の画データを有効に活用することができる。
【００２７】
次に、通信予約の確認を行うための通信予約確認モードに設定した後、送信原稿のプリントアウト、送信原稿の追加、又は送信相手先の追加を行うときの動作について、図５及び図６に示すフローチャートを用いて説明する。なお、この制御は、ＲＯＭ２０に記憶されたプログラムに基づき、ＭＰＵ１０により実行される（以下、複写機能付きファクシミリ装置１の動作に同じ）。
【００２８】
さて、操作部６０からの所定の操作に基づいて、通信予約確認モードに設定されると、ステップＳ１においては、図２に示すように、通信予約確認が表示部７０に表示される。なお、通信予約確認の初期表示状態では、最上段に表示された通信予約、つまり「Ｎｏ．１」の通信予約が選択されたとして、反転表示される。
【００２９】
ステップＳ２においては、矢印キー６６が操作されたか否かが判断される。具体的には、上矢印キー６６ａ又は下矢印キー６６ｂが操作されたか否かが判断される。上矢印キー６６ａ又は下矢印キー６６ｂが操作された場合は、ステップＳ３に移行する。一方、上矢印キー６６ａ又は下矢印キー６６ｂが操作されない場合は、ステップＳ４に移行する。
【００３０】
ステップＳ３においては、上矢印キー６６ａ又は下矢印キー６６ｂの操作に基づいて、通信予約が上又は下方向にスクロール表示される。その後、前記ステップＳ１に戻る。その結果、前記ステップＳ１〜Ｓ３の処理に基づいて、所望の通信予約が選択される。なお、最上段の通信予約が表示部７０の最上段に表示された状態でさらに上矢印キー６６ａが操作された場合は、最上段の通信予約を表示している旨を示すためにスピーカ７１からナックブザー音が鳴動される。また、最下段の通信予約が表示部７０の最下段に表示された状態でさらに下矢印キー６６ｂが操作された場合は、最下段の通信予約を表示している旨を示すためにスピーカ７１からナックブザー音が鳴動される。
【００３１】
ステップＳ４においては、前記ステップＳ１〜Ｓ３の処理において選択された通信予約に対して、原稿確認に対応するソフトキー６８ａが操作されたか否かが判断される。ソフトキー６８ａが操作された場合は、ステップＳ５に移行する。一方、ソフトキー６８ａが操作されない場合は、ステップＳ８に移行する。
【００３２】
ステップＳ５においては、プリントアウト中であるか否かが判断される。つまり、記録部５０が使用中であるか否かが判断される。プリントアウト中である場合は、ステップＳ６に移行する。一方、プリントアウト中でない場合は、ステップＳ７に移行する。
【００３３】
ステップＳ６においては、記録部５０でプリントアウト中であるため、スピーカ７１からナックブザー音が鳴動される。その後、前記ステップＳ１に戻る。なお、現在記録部５０でプリントアウト中であっても、現在のプリントアウトが終了した後、原稿確認に対応するソフトキー６８ａの操作に基づく送信原稿の画データを画像メモリ８０から読み出して、記録部５０で記録紙にプリントアウトさせる構成にしても良い。
【００３４】
ステップＳ７においては、送信原稿の画データが画像メモリ８０から読み出されて、記録部５０で記録紙にプリントアウトされる。このため、送信原稿を読取部４０で再度読み取らせて、記録紙にプリントアウトさせる必要はない。従って、画像メモリ８０に一旦記憶された送信原稿の画データを有効に活用することができる。
【００３５】
ステップＳ８においては、前記ステップＳ１〜Ｓ３の処理において選択された通信予約に対して、原稿追加に対応するソフトキー６８ｂが操作されたか否かが判断される。ソフトキー６８ｂが操作された場合は、ステップＳ９に移行する。一方、ソフトキー６８ｂが操作されない場合は、図６に示すステップＳ２１に移行する。
【００３６】
ステップＳ９においては、スキャン中であるか否かが判断される。つまり、読取部４０が使用中であるか否かが判断される。スキャン中である場合は、ステップＳ１２に移行する。一方、スキャン中でない場合は、ステップＳ１０に移行する。
【００３７】
ステップＳ１０においては、読取部４０に追加する送信原稿がセットされているか否かが判断される。追加する送信原稿がセットされている場合は、ステップＳ１１に移行する。一方、追加する送信原稿がセットされていない場合は、ステップＳ１２に移行する。
【００３８】
ステップＳ１１においては、図３に示す送信原稿コマンドファイルに空きエリアがあるか否かが判断される。空きエリアがある場合は、ステップＳ１３に移行する。一方、空きエリアがない場合は、ステップＳ１２に移行する。
【００３９】
ステップＳ１２においては、前記ステップＳ９〜Ｓ１１の判断処理において「ＮＯ」であるため、スピーカ７１からナックブザー音が鳴動される。具体的には、前記ステップＳ９において読取部４０を使用することができないため、スピーカ７１からナックブザー音が鳴動される。また、前記ステップＳ１０において追加する送信原稿が読取部４０にセットされていないため、スピーカ７１からナックブザー音が鳴動される。さらに前記ステップＳ１１において図３に示す送信原稿コマンドファイルに空きエリアがないため、スピーカ７１からナックブザー音が鳴動される。その後、前記ステップＳ１に戻る。
【００４０】
ステップＳ１３においては、前記ステップＳ１０において読取部４０にセットされた追加の送信原稿が読み取られる。そして、読み取られた追加の送信原稿の画データは、コーデック９０で符号化された後、画像メモリ８０に記憶される。
【００４１】
ステップＳ１４においては、追加した送信原稿に基づいて、図３に示す送信原稿コマンドファイルが作成される。具体的には、追加した送信原稿のコマンドや追加された送信原稿のチェーンステータスが記憶される。このため、前記ステップＳ１３において読み取られた追加の送信原稿が元々の送信原稿に追加される。その結果、元々の送信原稿の枚数と追加の送信原稿の枚数とを加算した合計枚数が、表示部７０に表示される。その後、前記ステップＳ１に戻る。
【００４２】
図６に示すステップＳ２１においては、前記ステップＳ１〜Ｓ３の処理において選択された通信予約に対して、相手先追加に対応するソフトキー６８ｃが操作されたか否かが判断される。ソフトキー６８ｃが操作された場合は、ステップＳ２２に移行する。一方、ソフトキー６８ｃが操作されない場合は、ステップＳ２６に移行する。
【００４３】
ステップＳ２２においては、図４に示す送信相手先コマンドファイルに空きエリアがあるか否かが判断される。空きエリアがある場合は、ステップＳ２４に移行する。一方、空きエリアがない場合は、ステップＳ２３に移行する。
【００４４】
ステップＳ２３においては、前記ステップＳ２２において図４に示す送信相手先コマンドファイルに空きエリアがないため、スピーカ７１からナックブザー音が鳴動される。その後、図５に示すステップＳ１に戻る。
【００４５】
ステップＳ２４においては、短縮キー６２、ワンタッチキー６３又はテンキー６４から送信相手先のＦＡＸ番号が入力されるのが待たれる。そして、送信相手先のＦＡＸ番号が入力されると、ステップＳ２５に移行する。なお、所定時間が経過するまでの間に短縮キー６２等から送信相手先が入力されない場合は、図５に示すステップＳ１に戻る。
【００４６】
ステップＳ２５においては、前記ステップＳ２４において入力された送信相手先に対応する送信原稿の画データに基づいて、図４に示す送信相手先コマンドファイルが作成される。このため、前記ステップＳ２４において入力した送信相手先の通信予約が追加される。その結果、追加した送信相手先の通信予約が表示部７０に表示される。その後、図５に示すステップＳ１に戻る。
【００４７】
ステップＳ２６においては、ストップキー６７が操作されたか否かが判断される。ストップキー６７が操作された場合は、この処理を終了する。一方、ストップキー６７が操作されない場合は、ステップＳ２７に移行する。
【００４８】
ステップＳ２７においては、その他の処理が実行される。その後、図５に示すステップＳ１に戻る。
次に、このように時刻指定送信の通信予約が指定時刻に達して送信するときの動作について、図７に示すフローチャートを用いて説明する。
【００４９】
ステップＳ３１においては、指定時刻に達したか否かが判断される。そして、指定時刻に達すると、ステップＳ３２に移行する。
ステップＳ３２においては、指定時刻に達したため、図２に示す通信予約確認の項目から指定時刻に達した通信予約が消去される。すなわち、指定時刻に達したため、通信予約が通信予約確認の表示から通信実行中の表示に移行するのである。そして、操作部６０からの所定の操作に基づいて、通信実行中の表示を行えば、現在実行中の通信が表示部７０に表示される。
【００５０】
ステップＳ３３においては、短縮キー６２、ワンタッチキー６３またはテンキー６４から入力された送信相手先のＦＡＸ番号に対してＮＣＵ１１０から発呼が行われる。
【００５１】
ステップＳ３４においては、送信相手先との間の電話回線Ｌが接続されたか否かが判断される。電話回線Ｌが接続された場合は、ステップＳ３６に移行する。一方、電話回線Ｌが接続されない場合は、ステップＳ３５に移行する。
【００５２】
ステップＳ３５においては、送信相手先との間の電話回線Ｌが接続されないため、リダイアル待ち処理が実行された後、前記ステップＳ３３に戻る。具体的には、所定時間が経過すると、送信相手先に再度発呼が行われる。そして、所定回数発呼が行われても、送信相手先との間の電話回線Ｌが接続されない場合は、その旨のメッセージが記録部５０で記録紙に記録される。
【００５３】
ステップＳ３６においては、相手先に送信原稿の画データが送信される。すなわち、送信原稿の画データが画像メモリ８０から読み出されて、相手先に送信される。
【００５４】
ステップＳ３７においては、実行中の送信コマンドに基づく全頁の送信が終了したか否かが判断される。全頁の送信が終了した場合には、ステップＳ３８に移行する。一方、全頁の送信が終了していない場合は、前記ステップＳ３６に戻って次頁の送信が行われる。
【００５５】
ステップＳ３８においては、実行中の送信コマンドに対応するチェーンステータスがあるか否かが判断される。チェーンステータスがある場合は、ステップＳ３９に移行する。一方、チェーンステータスがない場合は、ステップＳ４１に移行する。
【００５６】
ステップＳ３９においては、相手先に送信原稿の画データが送信される。すなわち、追加された送信原稿の画データが画像メモリ８０から読み出されて、相手先に送信される。
【００５７】
ステップＳ４０においては、チェーンステータスがある送信コマンドに基づく全頁の送信が終了したか否かが判断される。全頁の送信が終了した場合には、前記ステップＳ３８に戻る。一方、全頁の送信が終了していない場合は、前記ステップＳ３９に戻って次頁の送信が行われる。
【００５８】
ステップＳ４１においては、送信原稿の画データが画像メモリ８０から消去される。具体的には、チェーンステータスがない送信コマンドの場合は、送信原稿の画データが画像メモリ８０から消去され、チェーンステータスがある送信コマンドの場合は、送信原稿の画データと追加された送信原稿の画データとが画像メモリ８０から消去される。
【００５９】
以上、詳述したように本実施形態によれば、次のような作用、効果を得ることができる。
（１）通信予約確認を表示部７０に表示させた状態で、原稿確認に対応するソフトキー６８ａが操作された場合には、送信原稿の画データが画像メモリ８０から読み出されて、記録部５０で記録紙にプリントアウトされている。このため、送信原稿をプリントアウトするために、再度送信原稿を読取部４０にセットして、コピーをする必要はない。従って、既に画像メモリ８０に記憶された送信原稿の画データを有効に活用することができる。よって、一旦画像メモリ８０に記憶された送信原稿の画データを有効に活用することができる。
【００６０】
（２）通信予約確認を表示部７０に表示させた状態で、原稿追加に対応するソフトキー６８ｂが操作された場合には、読取部４０で追加された送信原稿が読み取られて、選択された通信予約の送信原稿の画データに送信原稿の画データが追加されている。すなわち、図３に示すように、元々の通信原稿には、送信原稿が追加された旨を示すチェーンステータスが付加されて、そのチェーンステータスに基づいて、送信原稿の画データと追加した送信原稿の画データとが関連付けられている。このため、元々の送信原稿の画データと新たに追加した送信原稿の画データとを同一の相手先に送信することができる。従って、元々の送信原稿と追加した送信原稿とを読取部４０で再度読み取らせる必要はない。よって、一旦画像メモリ８０に記憶された送信原稿の画データを有効に活用することができる。
【００６１】
（３）通信予約確認を表示部７０に表示させた状態で、相手先追加に対応するソフトキー６８ｃが操作された場合には、通信予約における送信原稿の画データに対して送信相手先が追加されている。具体的には、ソフトキー６８ｃの操作後、短縮キー６２、ワンタッチキー６３又はテンキー６４から送信相手先のＦＡＸが入力されると、図４に示すように新たなコマンドと、追加された送信相手先へ送信する送信原稿の先頭アドレスとが記憶されて、送信相手先が追加されている。このように送信相手先が追加された場合でも、同一の送信原稿の画データに対して入力した送信相手先が追加される。このため、追加された相手先にも同一の送信原稿が送信される。従って、ソフトキー６８ｃの操作に基づいて、送信相手先が追加されても、画像メモリ８０に記憶する画データが増加することはない。よって、一旦画像メモリ８０に記憶された送信原稿の画データを有効に活用することができる。
【００６２】
（４）送信原稿をプリントアウトする処理は、通信予約確認を表示部７０に表示させた状態で、原稿確認に対応するソフトキー６８ａの操作に基づいて、画像メモリ８０から送信原稿の画データを読み出して、プリントアウトする構成である。しかも、送信原稿の画データは、すべての相手先や追加された送信原稿を送信してから消去している（Ｓ４１）。このため、通信予約が表示部７０から消去されるまでは（Ｓ３２）、常に送信原稿の画データが画像メモリ８０に記憶されている。従って、通信予約が表示部７０から消去されるまでは、いつでも送信原稿をプリントアウトすることができる。従って、当該送信原稿の送信中であっても、プリントアウトすることができる。
【００６３】
（５）チェーンステータスがある送信コマンドに基づく全頁の送信が終了した後（Ｓ４０）、再度チェーンステータスがあるか否かを判断している（Ｓ３８）。このため、チェーンステータスが複数存在していても、そのチェーンステータスに基づいて、追加された送信原稿が順次相手先に送信される。従って、送信原稿が何回追加されても、追加された送信原稿を順次相手先に送信することができる。
【００６４】
なお、前記実施形態は、次のように変更して具体化することも可能である。
・送信原稿を送信した後（Ｓ３６）、追加した送信原稿を送信する構成である（Ｓ３９）。このため、送信原稿の画データが画像メモリ８０から消去される前であれば（Ｓ４１）、例えば通信予約が通信予約確認の表示から実行中に移行した場合であっても、実行中の通信を選択して、送信原稿を追加させる構成にしても良い。このように構成すれば、実行中の通信に対しても、送信原稿を追加することができる。
【００６５】
・上述のように通信の実行中に送信原稿が追加された場合において、送信相手先が複数存在する場合、つまり同報通信の場合には、以下のように構成しても良い。すなわち、既に送信済みの相手先がある場合には、その相手先に対しては、送信できない旨のメッセージを表示部７０に表示する構成にしても良い。また、既に送信済みの相手先がある場合には、その相手先に再度発呼して、追加した送信原稿のみを送信する構成にしても良い。
【００６６】
・送信原稿を追加する場合において（Ｓ８）、追加する頁をテンキー６４から指定する構成にしても良い。すなわち、第５頁目に送信原稿を追加する場合には、テンキー６４から「５」を入力してから、追加する送信原稿を読取部４０で読み取らせる構成にしても良い。このように構成すれば、追加する送信原稿の頁を指定することができるため、任意の頁に送信原稿を追加することができる。
【００６７】
・送信原稿が追加された場合は、発信元情報の頁数を新たに付与する構成にしても良い。すなわち、元々の送信原稿の枚数と、新たに追加された送信原稿の枚数とに基づいて、新たに発信元情報を作成する構成にしても良い。このように構成すれば、元々の送信原稿と新たに追加した送信原稿とを読み取らせた場合と同様に、発信元情報の頁数を付与して送信することができる。
【００６８】
・新たに追加する送信原稿を読取部４０で読み取る場合を想定して説明したが、例えば複写機能付きファクシミリ装置１がネットワークに接続されている場合は、パソコンからネットワークを介して複写機能付きファクシミリ装置１に転送されてきた画データを、新たに追加する送信原稿の画データとして取り扱う構成にしても良い。勿論、新たに追加する送信原稿の画データに限らず、送信原稿の画データもパソコンからネットワークを介して複写機能付きファクシミリ装置１に転送する構成にしても良い。
【００６９】
・通信予約に限らず、現在実行中の通信に送信相手先を追加する構成にしても良い。そして、現在の通信が終了した後に、現在実行中の通信と同一の送信原稿の画データを追加した送信相手先に送信する構成にしても良い。
【００７０】
・送信相手先が追加された場合は、その旨を表示部７０に表示する構成にしても良い。具体的には、図８に示すように、「Ｎｏ．１」の通信予約に送信相手先が追加された場合は、「Ｎｏ．１」の通信予約から派生したことを示すために「Ｎｏ．１−１」のように表示して、送信相手先が追加された旨を表示する構成にしても良い。このように構成すれば、いずれの通信予約に対して、相手先が追加されたかを容易に確認することができる。なお、このように送信相手先を追加した場合には、テンキー６４から時刻指定送信の指定時刻を設定できるように構成しても良い。
【００７１】
・送信原稿が追加された場合は、その旨を表示部７０に表示する構成にしても良い。具体的には、図８に示すように、「Ｎｏ．２」の通信予約に送信原稿が追加された場合には、新たに追加された原稿の頁数を加算表示（「＋２」）で表示する構成にしても良い。このように構成すれば、新たに追加された送信原稿の頁数を容易に確認することができる。従って、例えば送信原稿を読取部４０で読み取らせる場合において、送信原稿が重送された場合には、新たに追加した送信原稿の画データを操作部６０から指定して、その画データを画像メモリ８０から一旦消去した後、新たに追加する送信原稿を読取部４０で再度読み取らせることができる。
【００７２】
・前記実施形態を現在実行中の通信に適用しても良い。
さらに、前記実施形態より把握される技術的思想について、以下にそれらの効果と共に記載する。
【００７３】
〔１〕送信原稿を読み取る読取手段を備え、制御手段は、表示手段に表示中の通信予約又は現在実行中の通信が選択手段で選択された後に原稿追加指示手段が操作された場合は、選択された通信予約又は現在実行中の通信における送信原稿の画データに対して読取手段で読み取った送信原稿の画データを追加する。このように構成すれば、読取手段から読み取った送信原稿を選択手段で選択された通信予約又は現在実行中の通信の送信原稿に追加することができる。
【００７４】
〔２〕送信原稿コマンドファイルを記憶する記憶手段を備え、制御手段は、表示手段に表示中の通信予約又は現在実行中の通信が選択手段で選択された後に原稿追加指示手段が操作された場合は、追加した送信原稿の新たなコマンドを記憶手段に記憶させるとともに、追加した送信原稿と選択された通信予約又は現在実行中の通信の送信原稿との関連付けを示すチェーンステータスを記憶手段に記憶させて、選択された通信予約又は現在実行中の通信における送信原稿の画データに対して送信原稿の画データを追加する。このように構成すれば、新たなコマンドを用いて追加された送信原稿を選択手段で選択された通信予約又は現在実行中の通信の送信原稿に追加することができる。
【００７５】
〔３〕制御手段は、表示手段に表示中の通信予約又は現在実行中の通信が選択手段で選択された後に相手先追加指示手段が操作された場合は、選択された通信予約又は現在実行中の通信における送信原稿の画データに対して入力手段から入力された送信相手先を追加するとともに、送信原稿の画データを追加された送信相手先に送信する。このように構成すれば、送信相手先を追加することができるとともに、送信原稿を追加された送信相手先に送信することができる。
【００７６】
〔４〕送信相手先コマンドファイルを記憶する記憶手段を備え、制御手段は、表示手段に表示中の通信予約又は現在実行中の通信が選択手段で選択された後に相手先追加指示手段が操作された場合は、選択された通信予約又は現在実行中の通信における送信原稿の画データに対して入力手段から入力された送信相手先を含む新たなコマンドを記憶手段に記憶させるとともに、送信相手先に送信する送信原稿の画データを示す先頭アドレスを記憶手段に記憶させる。このように構成すれば、新たなコマンドを用いて送信相手先を追加することができる。
【００７７】
〔５〕送信原稿が追加された場合又は送信相手先が追加された場合は、その旨を表示手段に表示する。このように構成すれば、送信原稿又は送信相手先が追加されたことを容易に確認することができる。
【００７８】
【発明の効果】
本発明は、以上のように構成されているため、次のような効果を奏する。
各請求項に記載の発明によれば、一旦記憶された送信原稿の画データを有効に活用することができる。また、通信予約又は現在実行中の通信の表示中において送信原稿を追加することができる。
【００７９】
また、請求項２に記載の発明によれば、通信予約又は現在実行中の通信の表示中において送信原稿を記録紙に記録することができる。
【００８０】
さらに、請求項３に記載の発明によれば、通信予約又は現在実行中の通信の表示中において送信相手先を追加することができる。
【図面の簡単な説明】
【図１】複写機能付きファクシミリ装置の構成を示すブロック図。
【図２】操作部及び表示部を示す説明図。
【図３】送信原稿コマンドファイルと画像メモリとの関係を示す説明図。
【図４】送信相手先コマンドファイルと画像メモリとの関係を示す説明図。
【図５】送信原稿のプリントアウト、送信原稿の追加、又は送信相手先の追加を行うときの動作を示すフローチャート。
【図６】送信原稿のプリントアウト、送信原稿の追加、又は送信相手先の追加を行うときの動作を示すフローチャート。
【図７】時刻指定送信の通信予約が指定時刻に達して送信するときの動作を示すフローチャート。
【図８】送信原稿が追加された場合及び送信相手先が追加された場合の表示方法を示す説明図。
【符号の説明】
１…複写機能付きファクシミリ装置、１０…制御手段を構成するＭＰＵ、２０…制御手段を構成するＲＯＭ、３０…記憶手段及び制御手段を構成するＲＡＭ、４０…読取手段としての読取部、５０…記録手段としての記録部、６０…入力手段としての操作部、６２…入力手段を構成する短縮キー、６３…入力手段を構成するワンタッチキー、６４…入力手段を構成するテンキー、６６…選択手段としての矢印キー、６８ａ…記録指示手段としての原稿確認に対応するソフトキー、６８ｂ…原稿追加指示手段としての原稿追加に対応するソフトキー、６８ｃ…相手先追加指示手段としての相手先追加に対応するソフトキー、７０…表示手段としての表示部、８０…画像記憶手段としての画像メモリ。
【図１】
0003736434.tif 000002
【図２】
0003736434.tif 000003
【図３】
0003736434.tif 000004
【図４】
0003736434.tif 000005
【図５】
0003736434.tif 000006
【図６】
0003736434.tif 000007
【図７】
0003736434.tif 000008
【図８】
0003736434.tif 000009